(57)【要約】【課題】蓄圧式の吐出弁を備えたポンプ式容器の内容物放出機構を簡単な構成で実現し、ポンプ式製品の使い勝手の良さおよび吐出弁の切換動作の確実さ，シャープさを担保しながら、そのコストダウン化や組立工程の簡単化を図る。【解決手段】内容物放出口７ａに通じる吐出弁の上方球体９をコイルスプリング１０で上方受け部３ｇに付勢して閉状態としておく。利用者が操作ボタン１を図の右方向に押し込むと連動する操作側ピストン２がバッファ空間域Ａの内容物を加圧していくが、この圧力増加だけでは上方球体９は上動せず、上方受け部３ｇから離間しない。さらに操作ボタン１を押し込むと、後スカート部２ａの後端部分が上方球体９を上方受け部３ｇから強制的に上方に持ち上げるので吐出弁は開状態になり、バッファ空間域Ａに入っていた内容物はノズル７の内容物放出口７ａから外部空間域に放出される。【選択図】  図２
2010228794.tif 000002
【特許請求の範囲】
【請求項１】
ポンプ式容器の内容物放出操作用の操作部と、
前記操作部と連動するピストンと、
前記ピストンの移動に応じてそれぞれ作動する吸込弁および吐出弁と、
前記吐出弁を閉状態に付勢する弾性部材と、
前記操作部とは別部材であって、
次回の放出対象となる内容物の収容空間域を前記吸込弁，前記吐出弁および前記ピストンとの間に設定し、かつ、前記操作部の内容物放出操作時にも移動しない形の内容物通路域用部材と、
前記内容物通路域用部材の下流端部に形成された内容物放出口と、
前記操作部と連動してその内容物放出操作時に前記吐出弁をそれまでの開状態から閉状態に移行させる吐出弁駆動部と、
を備えたことを特徴とする内容物放出機構。
【請求項２】
前記吐出弁駆動部は、
前記ピストンの一部に形成されたピストン側駆動部である、
ことを特徴とする請求項１記載の内容物放出機構。
【請求項３】
前記ピストン側駆動部は、
前記内容物収納空間に対するシール作用部分を兼ねている、
ことを特徴とする請求項２記載の内容物放出機構。
【請求項４】
請求項１乃至３のいずれかに記載の内容物放出機構を備え、かつ、内容物を収容した、
ことを特徴とするポンプ式製品。
【発明の詳細な説明】
【技術分野】
【０００１】
本発明は、ポンプ式容器の内容物放出機構に関し、特に内容物放出口を操作部の作動時にも移動しない固定部材の形で設定して、当該放出口にいたる内容物通路域の吐出弁を弾性部材で積極的に閉状態に設定した上で、内容物放出操作時に当該吐出弁を開状態に強制駆動するようにしたポンプ式容器の内容物放出機構に関する。
【０００２】
これにより、利用者が内容物放出操作をしていない静止モードで容器が倒れたような場合にも吐出弁が確実に閉状態に保持されて、吐出弁より上流側の多量の内容物が放出口からこぼれるのを防ぐとともに、内容物放出操作時における吐出弁の開状態への切り換え動作をいわばシャープに、また確実にしたものである。
【０００３】
本発明の内容物放出機構は、点鼻薬剤をはじめとする後述の各種内容物のポンプ機構として用いられる。また、放出対象の内容物としては液状，発泡性（泡状），ペースト状，ジェル状，粉状などの各種性状のものがある。
【０００４】
本明細書において、
(11)静止モードは、吐出弁が弾性部材の作用で強制的に閉じられた状態のことであり、
(12)放出モードは、操作ボタンの内容物放出操作により吐出弁がそれまでの「開」から「閉」に駆動されて、内容物が外部空間域に放出される状態のことであり、
(13)縦は、容器本体の上下方向（例えば図１の上下方向）のことであり、
(14)横は、この上下方向と略直交する方向（例えば図１の左右方向）のことであり、
(15)前は、横方向における操作ボタン設置側（例えば図１の左側）のことであり、
(16)後は、横方向における操作ボタンとは反対側（例えば図１の右側）のことである。
【背景技術】
【０００５】
本件出願人は、ポンプ式容器に収納された内容物放出口を操作部とは別の固定タイプの内容物通路域用部材に設けた内容物放出機構として、下記の特許文献の放出機構を提案している。
【０００６】
ここでは、吐出弁を蓄圧式のもの、すなわち当該吐出弁をその閉状態にコイルスプリングで付勢しておき、利用者が操作部を押圧して吸込弁と吐出弁との間の内容物収納空間の内容物圧力が所定の大きさになった時点でその圧力作用によって当該吐出弁が当該コイルスプリングの弾性付勢力に抗する形で開状態に移動する形にしている。
【０００７】
このように上記提案済みの内容物放出機構は、
(21)内容物放出口が内容物放出操作の際も移動せずに、
(22)静止モードで不意に容器が倒れても容器内容物が放出部からこぼれることもなく、
(23)また、利用者の内容物放出操作に応じて吐出弁がそれまでの閉状態から開状態に切り替わる,
などの利点を備えたものである。
【先行技術文献】
【特許文献】
【０００８】
【特許文献１】特許第３１７７６９５号公報
【発明の概要】
【発明が解決しようとする課題】
【０００９】
本発明は、上記(21)〜(23)の利便性を備えた内容物放出機構をもっと簡単でいわば省略化され、かつ吐出弁が弾性力に抗する態様で強制的に駆動されて閉状態に移行する形の放出機構として提供し、ポンプ式製品の使い勝手の良さおよび吐出弁の切換動作の確実さ，シャープさを担保しつつ、そのコストダウン化や組立工程の簡単化を図ることを目的とする。
【課題を解決するための手段】
【００１０】
本発明は、以上の課題を次のようにして解決する。
（１）ポンプ式容器の内容物放出操作用の操作部（例えば後述の操作ボタン１）と、
前記操作部と連動するピストン（例えば後述の操作側ピストン２）と、
前記ピストンの移動に応じてそれぞれ作動する吸込弁（例えば後述の下方球体１２，下方受け部１１ｂ）および吐出弁（例えば後述の上方球体９，上方受け部３ｇ）と、
前記吐出弁を閉状態に付勢する弾性部材（例えば後述の縦向きコイルスプリング１０）と、
前記操作部とは別部材であって、次回の放出対象となる内容物の収容空間域（例えば後述のバッファ空間域Ａ）を前記吸込弁，前記吐出弁および前記ピストンとの間に設定し、かつ、前記操作部の内容物放出操作時にも移動しない形の内容物通路域用部材（例えば後述のネジキャップ３，ノズル７，コマ部材８，ハウジング１１）と、
前記内容物通路域用部材の下流端部に形成された内容物放出口（例えば後述の内容物放出口７ａ）と、
前記操作部と連動してその内容物放出操作時に前記吐出弁をそれまでの開状態から閉状態に移行させる吐出弁駆動部（例えば後述の後スカート部２ａ）と、
を備えた内容物放出機構を用いる。
（２）上記（１）において、
前記吐出弁駆動部として、
前記ピストンの一部に形成されたピストン側駆動部を用いる。
（３）上記（２）において、
前記ピストン側駆動部として、
前記内容物収納空間に対するシール作用部分を兼ねた駆動部を用いる。
【００１１】
本発明は、以上の特徴を持つ内容物放出機構を対象とするとともに、この内容物放出機構を備えたポンプ式製品も対象にしている。
【発明の効果】
【００１２】
本発明は、上記(21)〜(23)の利便性を備えた内容物放出機構をもっと簡単でいわば省略化され、かつ吐出弁が弾性力に抗する態様で強制的に駆動されて閉状態に移行する形の放出機構として提供するので、ポンプ式製品の使い勝手の良さおよび吐出弁の切換動作の確実さ，シャープさを担保しつつ、そのコストダウン化や組立工程の簡単化を図ることができる。
【００１３】
また、後述のように、内容物吸上げ用チューブを備えないエアレスタイプと、内容物吸上げ用チューブを備えた減圧防止用エア供給タイプといった異なる種類のポンプ式製品におけるパーツの多くを共通化しているので、ポンプ式製品パーツの管理，利用面での効率化を図ることができる。
【図面の簡単な説明】
【００１４】
【図１】内容物放出機構（その１：内容物吸上げ用チューブなしのエアレスタイプのポンプ式製品）の静止モードを示す説明図である。
【図２】図１の内容物放出機構の放出モードを示す説明図である。
【図３】内容物放出機構（その２：内容物吸上げ用チューブありで容器内部減圧防止用のエア供給タイプのポンプ式製品）の静止モードを示す説明図である。
【図４】図３の内容物放出機構の放出モードを示す説明図である。
【発明を実施するための形態】
【００１５】
図１〜図４を用いて本発明を実施するための最良の形態を説明する。
【００１６】
図１および図２において、
１は鞘状の操作ボタン，
２は操作ボタン１と嵌合して一体化された鞘状の操作側ピストン，
２ａは後述の内側筒状部３ａの内周面に当接してシール作用を呈し、かつ、内容物放出操作にともなって後述の上方球体９を上方向に駆動する後スカート部，
２ｂは後述の内側筒状部３ａの内周面に当接してシール作用を呈する前スカート部，
２ｃは静止モードにおいて後述のリップシール６の後面内端部分に当接する環状段部，
３はポンプ式製品の後述の容器本体１４の開口側筒状部に螺合するネジキャップ，
３ａは操作側ピストン２の後スカート部２ａおよび前スカート部２ｂと密接してこれらを案内する内側横筒状部，
３ｂは筒状ブッシュ４の後側外周面と嵌合する外側横筒状部，
３ｃは内容物流入用の縦方向孔部，
３ｄは当該縦方向孔部へのいわば入口部分となる内側環凹状部，
３ｅは当該内側環凹状部に囲まれた形の下側天井面中央部，
３ｆは後述のハウジング１１の位置決め作用を呈する外側環凹状部，
３ｇは縦方向孔部３ｃの下流側上方に形成されて後述の上方球体９とともに吐出弁を構成する環状の上方受け部，
３ｈは当該上方受け部の下流側に続く内容物通過用の上内側縦筒状部，
３ｊは後述のハウジング１１のいわば外回りの鍔状部分を保持するための環凹状部，
３ｋは当該環凹状部の下方に続く部分であって、後述の環状パッキン１６の外周面部分を保持（挟持）するための環突状部，
３ｍは内側横筒状部３ａの前端部分に複数形成されて容器本体内部の減圧防止用エア（外気）が通過する切欠状部（図３，図４のポンプ式製品でのみ作動），
４はネジキャップ３と嵌合して、操作ボタン１および操作側ピストン２の前後動に対するガイド機能を備えた筒状ブッシュ，
４ａは操作ボタン１のガイド面として作用する前側内周面，
４ｂは操作側ピストン２のガイド面として作用する中央孔部，
４ｃは当該中央孔部の周りの部分からなり、径方向断面形状が「ハ字状」であって前方向への斜め起立周回部分，
４ｄはネジキャップ３の外側横筒状部３ｂに嵌合している後側筒状部，
５は操作ボタン１の底面外側部分と筒状ブッシュ４の中間面部分（中央孔部４ｂの回りの環凹状部）との間に配設されて当該操作ボタンを前方向（静止モードの方向）に付勢する横向きコイルスプリング，
６はネジキャップ３の内側横筒状部３ａの前端部分と筒状ブッシュ４の周回起立部分４ｃの回りの後面部分とに挟持された環状のリップシール，
６ａは鞘状ピストン２の外周面に密接してシール作用を呈し、その径方向断面形状が周回起立部分４ｃに対応した「ハ字状」の筒状部分，
７はネジキャップ３の外側上筒状部などと嵌合しているノズル，
７ａは上端側に形成された内容物放出口（孔部），
７ｂは当該内容物放出口にいたる天井面に複数形成された内容物通過用の径方向溝状部，
７ｃは当該径方向溝状部の直上流側の内周面に複数形成された内容物通過用の縦溝状部，
７ｄは当該縦溝状部の下端部分内周面に形成された環状段部，
８はネジキャップ３の上内側縦筒状部３ｈとノズル７の径方向溝状部（天井面）７ｂとの間に配設された円柱状のコマ部材，
８ａはノズル７の環状段部７ｄおよび当該上内側縦筒状部３ｈの上端部分に係止された下側大径部，
８ｂは当該下側大径部の底面および外周面に形成された内容物通過用の径方向・縦方向溝状部，
９はネジキャップ３の上方受け部３ｇに密接する形で配設された上方球体（吐出弁），
１０はコマ部材８と上方球体９との間に配設されて当該上方球体を下方向に付勢する縦向きコイルスプリング，
１１はネジキャップ３に係止されて当該ネジキャップおよび操作側ピストン２との間で後述のバッファ空間域Ａを画定するハウジング，
１１ａはネジキャップ３の外側環凹状部３ｆに位置決めされる環状起立部，
１１ｂはネジキャップ３の下側天井面中央部３ｅと対向する部分に形成されて後述の下方球体１２とともに吸込弁を構成する環状の下方受け部，
１１ｃは当該下方受け部から下方に続く筒状垂下部，
１１ｄは当該下方受け部の外方部分に複数形成されて、それぞれの下端側外面の膨出部分などで後述の環状パッキン１７を保持するための垂下片部，
１１ｅは環状起立部１１ａの外周面の一部から当該ハウジングの鍔状部下面まで貫通する形で設定されて容器本体内部の減圧防止用エア（外気）が通過する溝状孔部（図３，図４のポンプ式製品でのみ作動），
１２はハウジング１１の下方受け部１１ｂに密接する形で配設された下方球体（吸込弁），
１３はハウジング１１の筒状垂下部１１ｃに嵌合する形で取り付けられた筒状のエアレスブッシュ，
１４は点鼻薬剤などを入れた筒状の容器本体，
１４ａは容器本体胴部の外周面と嵌合した鞘状の底蓋，
１４ｂは当該底蓋の底面部分に形成されたエア流入用の孔部，
１４ｃは当該底蓋の底面部分に形成された環状起立部，
１５は容器本体１４に対する可動底部材（フリーピストン），
１５ａは容器本体１４の内周面に密接してシール作用を呈する上下のスカート部，
１６は後述の容器内部空間域Ｂのエアだまり部分を減らすため、容器本体１４の天井面側に取り付けられた環状スペーサ，
１７はネジキャップ３の環突状部３ｋとハウジング１１の垂下片部１１ｄとに挟持され、かつ、ハウジング１１の鍔状部分（の下面）と容器本体１４の上端面部分とに挟持された環状パッキン，
Ａは次回の放出操作時に放出される内容物が収容されたバッファ空間域（下方球体１２から上方球体９までの空間域），
Ｂはバッファ空間域Ａの上流側の内容物が収容された容器内部空間域（可動底部材１５から下方球体１２までの空間域），
Ｃは操作側ピストン２の移動に応じて容積が変化するピストン対応空間域（操作側ピストン２，内側横筒状部３ａおよびリップシール６などによって画定される空間域），
をそれぞれ示している。
【００１７】
図１，図２の内容物放出機構の基本的特徴は、縦向きコイルスプリング１０の作用で常時閉状態に設定されている上方球体９（吐出弁）が、操作ボタン１の押圧操作により（当該操作ボタンと連動する）操作側ピストン２の後スカート部２ａで駆動されて、それまでの閉状態から強制的に、開状態へと移行することである。
【００１８】
これにより、内容物放出機構の静止モードで容器が倒れたときにも内容物が当該吐出弁から外部空間域に漏れることを防止した上で、内容物放出操作にともなう静止モードから放出モードへの移行を確実に、また瞬時におこなうことができる。なお、後述の図３，図４の内容物放出機構の基本的特徴も同じである。
【００１９】
図１の静止モードでは、
(31)操作ボタン１および操作側ピストン２が横向きコイルスプリング５の作用で前方向に付勢され、
(32)上方球体９および下方球体１２がともに閉じ、
(33)少なくともポンプ式製品を１回でも使用した後の下方球体１２から上方球体９までのバッファ空間域Ａに、内容物が入っている。
【００２０】
図２の、操作ボタン１が押圧されて操作側ピストン２が後方向に移動するとき、
(41)操作側ピストン２の後動に応じる形でバッファ空間域Ａの容積が小さくなって、そこの内容物圧力が次第に増加し、
(42)この圧力増加にともない、上方球体９は上方向への力を受け（ただし上方球体９は縦方向コイルスプリング１０の下方への押圧作用でネジキャップ３の上方受け部３ｇに接したまま）、また、下方球体１２は下方向への力を受けてハウジング１１の下方受け部１１ｂに強く密接し、
(43)そして、操作ボタン１が略図２の位置まで押し込まれた段階では、上方球体９が、操作側ピストン２の後スカート部２ａの後端部分でいわば強制的に上方に持ち上がられ、
(44)この上方球体９の上動ともない、バッファ空間域Ａに入っていた内容物が「ネジキャップ３の上内側縦筒状部３ｈ−コマ部材８の径方向・縦方向溝状部８ｂ−ノズル７の縦溝状部７ｃ−ノズル７の径方向溝状部７ｂ」を経てノズル７の内容物放出口７ａから外部空間域に放出される。
【００２１】
そして利用者が操作ボタン１の押圧操作を止める、すなわち操作ボタン１から指を離すと、
(51)当該操作ボタンおよびこれと一体の操作側状ピストン２が、横向きコイルスプリング５の弾性力で前方向に復帰し、
(52)上方球体９（吐出弁）が、縦向きコイルスプリング１０の弾性力で下方向に駆動されて、上方受け部３ｇに密接した閉状態となる。
【００２２】
上記(51)の操作側ピストン２の復帰にともない、バッファ空間域Ａの容積が増えて当該通路部は容器本体１４の容器内部空間域Ｂに対して負圧化するので、下方球体１２（吸込弁）が当該空間域Ｂの内容物圧力を受けて上動し、当該吸込弁は「開」となる。
【００２３】
その結果、容器内部空間域Ｂの内容物がバッファ空間域Ａに流入し、次回の内容物放出操作時の放出対象内容物として収容される。
【００２４】
この容器本体内容物のバッファ空間域Ａへの流入にともなって、容器本体１４の孔部１４ｂから可動底部材１５の下方空間域へ外気が流入する。この流入外気の作用で可動底部材１５は上動して容器内部空間域Ｂの内容物圧力が略外気圧に保持される。
【００２５】
そして、下方球体１２（吸込弁）に対し下方向に作用するバッファ空間域Ａの内容物圧力および当該下方球体の自重が、当該下方球体に対して上方向に作用する容器内部空間域Ｂの内容物圧力を上回ったときに、下方球体１２は沈んで下方受け部１１ｂと当接する。すなわち吸込弁が閉じて図１の静止モードに復帰する。
【００２６】
なお、操作ボタン１の押圧操作やその解除にともなう操作側ピストン２の前後動によりピストン対応空間域Ｃの容積が変化する。すなわち、ピストン対応空間域Ｃの容積は、操作ボタン１の押圧操作にともない増加し、押圧操作解除によって初期状態に戻る。
【００２７】
ここで、図１，図２の内容物放出機構はピストン対応空間域Ｃが閉空間域になっているものの、静止モードから放出モードへの移行にともなうピストン対応空間域Ｃの図示程度の容積増加（７倍ほど）であれば、当該ピストン対応空間域のエアは静止モードの状態から十分に膨張し、また、押圧操作解除にともなう放出モードから静止モードへの復帰時には、当該エアは膨張前の初期状態に戻る。
【００２８】
そのため、特にピストン対応空間域Ｃに対する外気連通路を設けなくても、操作側ピストン２の前後動に支障はない。なお、当該外気経路を確保すべく、リップシール６を省略するようにしてもよい。
【００２９】
図１，図２のネジキャップ３への（容器本体１４，可動底部材１５および環状スペーサ１６を除く）他の構成要素の組立作業手順は、例えば、
(61)筒状ブッシュ４の前側空間域に操作ボタン１および横向きコイルスプリング５を配設した状態で、リップシール６に挟まれた形の操作側ピストン２を筒状ブッシュ４にその後側空間域から入れることにより操作ボタン１と嵌合させて、筒状ブッシュユニットを設定し、
(62)ノズル７の内部空間域にコマ部材８を取りつけて、ノズルユニットを設定し、
(63)ハウジング１１の下側部分（筒状垂下部１１ｃ，垂下片部１１ｄ）にエアレスブッュ１３および環状パッキン１７を取りつけて、ハウジングユニットを設定し、
(64)上記(61)の筒状ブッシュユニットをネジキャップ３に取りつけ、
(65)ネジキャップ３の上方受け部３ｇに上方球体９を置き、その上に縦向きコイルスプリング１０を配設してから上記(62)のノズルユニットを取りつけ、
(66)上記(63)のハウジングユニットを、その下方受け部１１ｂに下方球体１２を置いてからネジキャップ３に取り付ける、
といった作業内容となる。なお、(61)〜(63)の各作業単位の実行順序および、(64)〜(66)の各作業単位の実行順序はそれぞれ任意である。
【００３０】
ここで、操作ボタン１，操作側ピストン２，ネジキャップ３，筒状ブッシュ４，横向きコイルスプリング５，リップシール６，ノズル７，コマ部材８，上方球体９，縦向きコイルスプリング１０，ハウジング１１，下方球体１２，エアレスブッシュ１３および環状パッキン１７の各構成要素は、上記(61)〜(66)の組立後、一つのユニットとして管理，運送することなどができる。
【００３１】
図３および図４の内容物放出機構と図１，図２のそれとの構成上の相違点は、
(71)図１，図２の操作側ピストン２に代えて、操作ボタン１の押圧操作およびその解除の際に、ピストン対応空間域Ｃを外部空間域と連通させ、また容器内部空間域Ｂ’に減圧防止用エアを流入させるための横方向溝状部２１ａを外周面に形成した、操作側ピストン２１を用い、
(72)図１，図２のネジキャップ３に代えて、減圧防止用エアの流入用孔部２２ａを形成したネジキャップ２２を用い、
(73)図１，図２のエアレスブッシュ１３に代えて、操作ボタンの押圧解除にともない内容物の放出モードから静止モードへと復帰する際に容器本体の内容物を吸い込んでバッファ空間域Ａに送るためのチューブ２３を用い、
(74)図１，図２の容器本体１４および可動底部材１５に代えて、固定底部で定量内部空間からなる容器本体２４（容器内部空間域Ｂ’）を用いた、
ことなどである。
【００３２】
ここで、
・操作側ピストン２１における横方向溝状部２１ａ以外の部分
・ネジキャップ２２の流入用孔部２２ａ以外の部分
はそれぞれ図１，図２の操作側ピストン２およびネジキャップ３の形態と同一である。
【００３３】
また、他の構成要素である操作ボタン１，筒状ブッシュ４，横向きコイルスプリング５，リップシール６，ノズル７，コマ部材８，上方球体９，縦向きコイルスプリング１０，ハウジング１１，下方球体１２および環状パッキン１７はそれぞれ図１，図２の対応構成要素と同じものである。
【００３４】
すなわち、これらの各構成要素は図１，図２のエアレスタイプのポンプ式製品および図３，図４の容器内部減圧防止用のエア供給タイプのポンプ式製品のいずれにも使用できる汎用部品となっている。
【００３５】
図３，図４の内容物放出機構の、
・操作ボタン１の押圧操作およびその解除にともなう上方球体９（吐出弁）および下方球体１２（吸込弁）の開閉状態の変化や、バッファ空間域Ａでの内容物の流入出態様
・静止モードにおける容器内部空間域Ｂ’と外部空間域との間の非連通化（リップシール６）
などは、図１，図２の内容物放出機構の場合と同一である。
【００３６】
ただ、上述したように、操作ボタン１が押圧されて静止モードから後方向に所定長以上移動した状態では、操作側ピストン２１の横方向溝状部２１ａの部分がリップシール６に当接する。
【００３７】
その結果、外部空間域とピストン対応空間域Ｃとが、「操作ボタン１の外周面と筒状ブッシュ４の前側内周面４ａとの隙間部分−操作側ピストン２の外周面と筒状ブッシュ４の中央孔部４ｂの内周面との隙間部分−横方向溝状部２１ａ」などを経て連通する。
【００３８】
また、ピストン対応空間域Ｃと容器内部空間域Ｂ’とが、「ネジキャップ２２の切欠状部３ｍ−内側横筒状部３ａの外周面と筒状ブッシュ４の後側筒状部４ｄの内周面との隙間部分−ネジキャップ２２の流入用孔部２２ａ−ハウジング１１の溝状孔部１１ｅ」などを経て連通する。
【００３９】
すなわち、操作ボタン１が静止モードから後方に移動した状態のとき、容器内部空間域Ｂ’はピストン対応空間域Ｃおよび外部空間域と連通している。
【００４０】
そのため、操作ボタン１がその押圧操作解除後に前方に復帰して容器内部空間域Ｂ’の内容物がバッファ空間域Ａに流入する際には、ピストン対応空間域Ｃ（外部空間域）から当該容器内部空間域にエアが流入してそこでの内容物圧力が略外気圧に保持される。
【００４１】
図３，図４の内容物放出機構におけるネジキャップ３への（容器本体２４を除く）他の構成要素の組立作業手順は、上記(61)〜(64)と同様である。異なるのは上記(63)においてエアレスブッュ１３の代わりにチューブ２３を用いることである。
【００４２】
以上の各構成要素の中、操作ボタン１，操作側ピストン２，２１，ネジキャップ３，２２，筒状ブッシュ４，ノズル７，コマ部材８，ハウジング１１，エアレスブッシュ１３，容器本体１４，２４，可動底部材１５，環状スペーサ１６およびチューブ２３は、ナイロン，ポリアセタール，ポリエチレン，ポリプロピレン，ポリエチレンテレフタレート，ポリブエチレンテレフタレート，ＮＢＲ，ネオプレン，ブチルゴムなどからなる合成樹脂製のものである。
【００４３】
また、横向きコイルスプリング５，上方球体９，縦向きコイルスプリング１０および下方球体１２は金属製や合成樹脂製のものである。リップシール６および環状パッキン１７はゴム製や合成樹脂製のものである。
【００４４】
本発明が以上の実施形態に限定されないことは勿論であり、例えば、
(81)図１，図２のポンプ式製品において流入用孔部２２ａを設けた形のネジキャップ２２を用いることにより、エアレスタイプおよびエア供給タイプそれぞれでのネジキャップの共通化を図る（リップシール６は省略しない）、
(82)リップシール６を省略して図３，図４のポンプ式製品の場合にも横方向溝状部２１ａなしの操作側ピストン２を用いることにより、エアレスタイプおよびエア供給タイプそれぞれでの操作側ピストンの共通化を図る、
ようにしてもよい。
【００４５】
本発明が適用されるポンプ式製品としては、点鼻薬剤，洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００４６】
容器本体に収納する内容物は、例えば、粉状物，油成分，アルコール類，界面活性剤，高分子化合物，各用途に応じた有効成分などである。
【００４７】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００４８】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００４９】
アルコール類としては、エタノールなどの１価の低級アルコール，ラウリルアルコールなどの１価の高級アルコール，エチレングリコールなどの多価アルコールなどを用いる。
【００５０】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５１】
高分子化合物としては、メチルセルロース，ゼラチン，デンプン，カゼインなどを用いる。
【００５２】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５３】
さらに、上記内容物以外の、懸濁剤，紫外線吸収剤，乳化剤，保湿剤，酸化防止剤、金属イオン封鎖剤なども用いることができる。
【符号の説明】
【００５４】
１：操作ボタン
２：操作側ピストン
２ａ：後スカート部
２ｂ：前スカート部
２ｃ：環状段部
３：ネジキャップ
３ａ：内側横筒状部
３ｂ：外側横筒状部
３ｃ：縦方向孔部
３ｄ：内側環凹状部
３ｅ：下側天井面中央部
３ｆ：外側環凹状部
３ｇ：上方受け部
３ｈ：上内側縦筒状部
３ｊ：環凹状部
３ｋ：環突状部
３ｍ：切欠状部（図３，図４のポンプ式製品でのみ作動）
４：筒状ブッシュ
４ａ：前側内周面
４ｂ：中央孔部
４ｃ：起立周回部分
４ｄ：後側筒状部
５：横向きコイルスプリング
６：リップシール
６ａ：筒状部分
７：ノズル
７ａ：内容物放出口（孔部）
７ｂ：径方向溝状部
７ｃ：縦溝状部
７ｄ：環状段部
８：コマ部材
８ａ：下側大径部
８ｂ：径方向・縦方向溝状部
９：上方球体（吐出弁）
１０：縦向きコイルスプリング
１１：ハウジング
１１ａ：環状起立部
１１ｂ：下方受け部
１１ｃ：筒状垂下部
１１ｄ：垂下片部
１１ｅ：溝状孔部（図３，図４のポンプ式製品でのみ作動）
１２：下方球体（吸込弁）
１３：エアレスブッシュ
１４：容器本体
１４ａ：底蓋
１４ｂ：孔部
１４ｃ：環状起立部
１５：可動底部材（フリーピストン）
１５ａ：スカート部
１６：環状スペーサ
１７：環状パッキン
Ａ：バッファ空間域
Ｂ：容器内部空間域
Ｃ：ピストン対応空間域
（以下の符号は図３，図４のみで使用）
２１：操作側ピストン
２１ａ：横方向溝状部
２２：ネジキャップ
２２ａ：流入用孔部
２３：チューブ
２４：容器本体
Ｂ’：容器内部空間域
【図１】
2010228794.tif 000003
【図２】
2010228794.tif 000004
【図３】
2010228794.tif 000005
【図４】
2010228794.tif 000006
【手続補正書】
【提出日】平成21年3月30日(2009.3.30)
【手続補正１】
【補正対象書類名】明細書
【補正対象項目名】０００８
【補正方法】変更
【補正の内容】
【０００８】
【特許文献１】国際公開第２００７／０８６１５６号パンフレット